(57)【要約】【課題】本発明は、こうした無線通信機器群の中継器の配置を効率よく決定することができる無線通信機器群の中継器配置方法及びそのプログラムを提供することを目的とするものである。【解決手段】親中継器に接続可能な子中継器の最大接続台数を設定するとともに各無線通信機器を設置する設置地点の位置情報を設定する。各設置地点を中心とし中継器の通信可能距離を半径とする円で規定される接続可能地域Ｇ内の設置地点を位置情報に基づいて計数して各設置地点の接続地点数とする。接続地点数が所定値以上の設置地点を仮親中継地点ＰAに選択し、仮親中継地点の接続可能地域内の設置地点において接続地点数が所定値以上の設置地点のうち仮親中継地点との間の距離が大きい順に最大接続台数に等しい数だけ仮子中継地点ＰBとして選択する。仮親中継地点及び仮子中継地点の接続可能地域のすべてが重複する部分が存在する場合にはこれらの中継地点のうち接続地点数が最も大きい中継地点を親中継器の設置地点とする。【選択図】図１０
2006094181.tif 000002
【特許請求の範囲】
【請求項１】
親中継器に接続可能な子中継器の最大接続台数を設定するとともに各無線通信機器を設置する設置地点の位置情報を設定し、各設置地点を中心とし中継器の通信可能距離を半径とする円で規定される接続可能地域内の設置地点を位置情報に基づいて計数して各設置地点の接続地点数とし、接続地点数が所定値以上の設置地点を仮親中継地点に選択し、仮親中継地点の接続可能地域内の設置地点において接続地点数が所定値以上の設置地点のうち仮親中継地点との間の距離が大きい順に最大接続台数に等しい数だけ仮子中継地点として選択し、選択された仮親中継地点及び仮子中継地点の接続可能地域のすべてが重複する部分が存在する場合にはこれらの中継地点のうち接続地点数が最も大きい中継地点を親中継器の設置地点とし、選択された仮親中継地点及び仮子中継地点の接続可能地域のすべてが重複する部分が存在しない場合には仮親中継地点を親中継器の設置地点とすることを特徴とする無線通信機器群内の中継器配置方法。
【請求項２】
親中継器に接続可能な子中継器の最大接続台数を設定するとともに各無線通信機器を設置する設置地点の位置情報を設定し、各設置地点を中心とし中継器の通信可能距離を半径とする円で規定される接続可能地域内の設置地点を位置情報に基づいて計数して各設置地点の接続地点数とし、接続地点数が所定値以上の設置地点を仮親中継地点に選択し、仮親中継地点の接続可能地域内の設置地点において接続地点数が所定値以上の設置地点のうち仮親中継地点との間の距離が大きい順に最大接続台数に等しい数になるまで仮子中継地点として選択して仮親中継地点の接続可能地域だけでは最大接続台数に等しい数に達しない場合には、仮親中継地点との間の距離が最も大きい仮子中継地点の接続可能領域において接続台数が所定値以上の設置地点のうち当該仮子中継地点との間の距離が大きい順に最大接続台数に等しい数に達するまで仮子中継地点として選択し、選択された仮親中継地点及び仮子中継地点の接続可能地域のすべてが重複する部分が存在する場合にはこれらの中継地点のうち接続地点数が最も大きい中継地点を親中継器の設置地点とし、選択された仮親中継地点及び仮子中継地点の接続可能地域のすべてが重複する部分が存在しない場合には、仮親中継地点の接続可能地域内で仮親中継地点との間の距離が最も大きい仮子中継地点を親中継器の設置地点とすることを特徴とする無線通信機器群内の中継器配置方法。
【請求項３】
コンピュータに、
親中継器に接続可能な子中継器の最大接続台数を設定するとともに各無線通信機器を設置する設置地点の位置情報を設定する手順、
各設置地点を中心とし中継器の通信可能距離を半径とする円で規定される接続可能地域内の設置地点を位置情報に基づいて計数して各設置地点の接続地点数とする手順、
接続地点数が所定値以上の設置地点を仮親中継地点に選択する手順、
仮親中継地点の接続可能地域内の設置地点において接続台数が所定値以上の設置地点のうち仮親中継地点との間の距離が大きい順に最大接続台数に等しい数だけ仮子中継地点として選択する手順、
選択された仮親中継地点及び仮子中継地点の接続可能地域のすべてが重複する部分が存在する場合にはこれらの中継地点のうち接続地点数が最も大きい中継地点を親中継器の設置地点とする手順、及び
選択された仮親中継地点及び仮子中継地点の接続可能地域のすべてが重複する部分が存在しない場合には仮親中継地点を親中継器の設置地点とする手順
を実行させるための無線通信機器群内の中継器配置用プログラム。
【請求項４】
コンピュータに、
親中継器に接続可能な子中継器の最大接続台数を設定するとともに各無線通信機器を設置する設置地点の位置情報を設定する手順、
各設置地点を中心とし中継器の通信可能距離を半径とする円で規定される接続可能地域内の設置地点を位置情報に基づいて計数して各設置地点の接続地点数とする手順、
接続地点数が所定値以上の設置地点を仮親中継地点に選択する手順、
仮親中継地点の接続可能地域内の設置地点において接続台数が所定値以上の設置地点のうち仮親中継地点との間の距離が大きい順に最大接続台数に等しい数になるまで仮子中継地点として選択して仮親中継地点の接続可能地域だけでは最大接続台数に等しい数に達しない場合には、仮親中継地点との間の距離が最も大きい仮子中継地点の接続可能領域において接続地点数が所定値以上の設置地点のうち当該仮子中継地点との間の距離が大きい順に最大接続台数に等しい数に達するまで仮子中継地点として選択する手順、
選択された仮親中継地点及び仮子中継地点の接続可能地域のすべてが重複する部分が存在する場合にはこれらの中継地点のうち接続地点数が最も大きい中継地点を親中継器の設置地点とする手順、及び
選択された仮親中継地点及び仮子中継地点の接続可能地域のすべてが重複する部分が存在しない場合には、仮親中継地点の接続可能地域内で仮親中継地点との間の距離が最も大きい仮子中継地点を親中継器の設置地点とする手順
を実行させるための無線通信機器群内の中継器配置用プログラム。
【発明の詳細な説明】
【技術分野】
【０００１】
本発明は、複数の中継器を含む無線通信機器群の親中継器及び子中継器の設置地点を決定するための配置方法及びそのプログラムに関する。
【背景技術】
【０００２】
携帯電話や特小無線通信等の無線通信技術の普及により様々な分野でその活用が図られている。例えば、各住宅に配備される水道、電気、ガスといった公益事業において、各戸に無線通信機器を設置してその使用量を無線通信技術を用いて自動的に収集することが提案されている。特許文献１では、各戸に設置された情報収集端末からインターネットを介してガス使用量、水道使用量及び電気使用量の計測結果をデータセンターのサーバに送信する点が記載されている。また、特許文献２では、センタ、検針データを出力する電文メータ、電文メータから入力した検針データを電話回線でセンタへ送信する送信機とからなるシステムにおいて、送信機と電文メータとの間に親中継器を設け、親中継器に複数の電文メータを接続するとともに、親中継器に複数の子中継器５を接続して各子中継器に複数の電文メータを接続するようにした点が記載されている。
【特許文献１】特開２００２−２９８０３１号公報
【特許文献２】特開平８−１８６６５３号公報
【発明の開示】
【発明が解決しようとする課題】
【０００３】
上述した先行文献のように、各戸に通信機器や中継器を配備するようになると、配備された多数の通信機器から効率よく情報を収集するための中継器の配置が問題となる。例えば、特小無線通信の場合無線通信が可能な範囲は数百ｍ程度であるため、それを目安に中継器を配置していく必要がある。しかしながら、中継器を各戸に配備している通信機器と別に設置することはコストがかかるため、各戸に設置する通信機器に中継器の機能を持たせることが望ましい。そのため、担当者が事前に各戸の分布状況をみて現地に赴き通信の到達範囲であるか確認して中継器の設置地点を決めているが、こうした作業は時間がかかり効率が悪く、また担当者の習熟を必要とする。
【０００４】
そこで、本発明は、こうした無線通信機器群の中継器の配置を効率よく決定することができる無線通信機器群の中継器配置方法及びそのプログラムを提供することを目的とするものである。
【課題を解決するための手段】
【０００５】
本発明に係る無線通信機器群内の中継器配置方法は、親中継器に接続可能な子中継器の最大接続台数を設定するとともに各無線通信機器を設置する設置地点の位置情報を設定し、各設置地点を中心とし中継器の通信可能距離を半径とする円で規定される接続可能地域内の設置地点を位置情報に基づいて計数して各設置地点の接続地点数とし、接続地点数が所定値以上の設置地点を仮親中継地点に選択し、仮親中継地点の接続可能地域内の設置地点において接続地点数が所定値以上の設置地点のうち仮親中継地点との間の距離が大きい順に最大接続台数に等しい数だけ仮子中継地点として選択し、選択された仮親中継地点及び仮子中継地点の接続可能地域のすべてが重複する部分が存在する場合にはこれらの中継地点のうち接続地点数が最も大きい中継地点を親中継器の設置地点とし、選択された仮親中継地点及び仮子中継地点の接続可能地域のすべてが重複する部分が存在しない場合には仮親中継地点を親中継器の設置地点とすることを特徴とする。
【０００６】
本発明に係る別の無線通信機器群内の中継器配置方法は、親中継器に接続可能な子中継器の最大接続台数を設定するとともに各無線通信機器を設置する設置地点の位置情報を設定し、各設置地点を中心とし中継器の通信可能距離を半径とする円で規定される接続可能地域内の設置地点を位置情報に基づいて計数して各設置地点の接続地点数とし、接続地点数が所定値以上の設置地点を仮親中継地点に選択し、仮親中継地点の接続可能地域内の設置地点において接続地点数が所定値以上の設置地点のうち仮親中継地点との間の距離が大きい順に最大接続台数に等しい数になるまで仮子中継地点として選択して仮親中継地点の接続可能地域だけでは最大接続台数に等しい数に達しない場合には、仮親中継地点との間の距離が最も大きい仮子中継地点の接続可能領域において接続台数が所定値以上の設置地点のうち当該仮子中継地点との間の距離が大きい順に最大接続台数に等しい数に達するまで仮子中継地点として選択し、選択された仮親中継地点及び仮子中継地点の接続可能地域のすべてが重複する部分が存在する場合にはこれらの中継地点のうち接続地点数が最も大きい中継地点を親中継器の設置地点とし、選択された仮親中継地点及び仮子中継地点の接続可能地域のすべてが重複する部分が存在しない場合には、仮親中継地点の接続可能地域内で仮親中継地点との間の距離が最も大きい仮子中継地点を親中継器の設置地点とすることを特徴とする。
【０００７】
本発明に係る無線通信機器群の中継器配置用プログラムは、コンピュータに、親中継器に接続可能な子中継器の最大接続台数を設定するとともに各無線通信機器を設置する設置地点の位置情報を設定する手順、各設置地点を中心とし中継器の通信可能距離を半径とする円で規定される接続可能地域内の設置地点を位置情報に基づいて計数して各設置地点の接続地点数とする手順、接続地点数が所定値以上の設置地点を仮親中継地点に選択する手順、仮親中継地点の接続可能地域内の設置地点において接続台数が所定値以上の設置地点のうち仮親中継地点との間の距離が大きい順に最大接続台数に等しい数だけ仮子中継地点として選択する手順、選択された仮親中継地点及び仮子中継地点の接続可能地域のすべてが重複する部分が存在する場合にはこれらの中継地点のうち接続地点数が最も大きい中継地点を親中継器の設置地点とする手順、及び選択された仮親中継地点及び仮子中継地点の接続可能地域のすべてが重複する部分が存在しない場合には仮親中継地点を親中継器の設置地点とする手順を実行させる。
【０００８】
本発明に係る無線通信機器群の中継器配置用プログラムは、コンピュータに、親中継器に接続可能な子中継器の最大接続台数を設定するとともに各無線通信機器を設置する設置地点の位置情報を設定する手順、各設置地点を中心とし中継器の通信可能距離を半径とする円で規定される接続可能地域内の設置地点を位置情報に基づいて計数して各設置地点の接続地点数とする手順、接続地点数が所定値以上の設置地点を仮親中継地点に選択する手順、仮親中継地点の接続可能地域内の設置地点において接続台数が所定値以上の設置地点のうち仮親中継地点との間の距離が大きい順に最大接続台数に等しい数になるまで仮子中継地点として選択して仮親中継地点の接続可能地域だけでは最大接続台数に等しい数に達しない場合には、仮親中継地点との間の距離が最も大きい仮子中継地点の接続可能領域において接続地点数が所定値以上の設置地点のうち当該仮子中継地点との間の距離が大きい順に最大接続台数に等しい数に達するまで仮子中継地点として選択する手順、選択された仮親中継地点及び仮子中継地点の接続可能地域のすべてが重複する部分が存在する場合にはこれらの中継地点のうち接続地点数が最も大きい中継地点を親中継器の設置地点とする手順、及び選択された仮親中継地点及び仮子中継地点の接続可能地域のすべてが重複する部分が存在しない場合には、仮親中継地点の接続可能地域内で仮親中継地点との間の距離が最も大きい仮子中継地点を親中継器の設置地点とする手順を実行させる。
【発明の効果】
【０００９】
上記のような構成を有することで、親中継器に接続可能な子中継器の最大接続台数及び各無線通信機器を設置する設置地点の位置情報が予め設定されると、親中継器及び子中継器の設置地点を自動的に決定することができ、従来人手で行っていた作業が不要になって配置作業を格段に効率化することが可能となる。また、各設置地点の接続可能領域内の接続地点数を計数して仮親中継地点を決め、仮子中継点を仮親中継点からの距離が大きい順に決めているので、中継器を無駄なく最適位置に設置することができる。そして、選択された仮親中継地点及び仮子中継地点の接続可能地域のすべてが重複する部分が存在する場合にはこれらの中継地点のうち接続地点数が最も大きい中継地点を親中継器の設置地点とし、選択された仮親中継地点及び仮子中継地点の接続可能地域のすべてが重複する部分が存在しない場合には仮親中継地点を親中継器の設置地点とすることで、親中継器の設置地点を最適位置に設定することができる。
【００１０】
また、仮子中継地点を選択する際に仮親中継地点の接続可能地域だけでは最大接続台数に等しい数に達しない場合には、仮親中継地点との間の距離が最も大きい仮子中継地点の接続可能領域において接続地点数が所定値以上の設置地点のうち当該仮子中継地点との間の距離が大きい順に最大接続台数に等しい数に達するまで仮子中継地点として選択することで、中継器の設置地点を最大接続台数まで確実に設定することができる。そして、仮親中継地点との間の距離が最も大きい仮子中継地点の接続可能領域から仮子中継地点を選択した場合において、選択された仮親中継地点及び仮子中継地点の接続可能地域のすべてが重複する部分が存在しない場合には、仮親中継地点の接続可能地域内で仮親中継地点との間の距離が最も大きい仮子中継地点を親中継器の設置地点とすることで、親中継器の設置地点を最適位置に設定することができる。
【発明を実施するための最良の形態】
【００１１】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１２】
図１は、本発明に係る配置方法を実施するための情報処理装置を示している。ＣＰＵ等からなる制御部１は、装置全体の制御を行うと共に後述する情報処理を行う。プログラム等を記憶する記憶部２には、本発明に係るプログラムが記憶されている。地図ファイルを記憶する記憶部３には、無線通信機器群を設置する地域全体の地図情報が記憶されている。設置情報等が記憶された記憶部４には、無線通信機器が設置される住宅の住所と契約者名のリストといった設置情報が記憶されている。プリンタ５は、地図上に表示された設置地点や中継器地点等をプリントアウトするのに用いられる。入力部６は、設置情報等を入力や処理に必要な情報の入力に用いられる。表示部７は、地図情報とともに設置地点や中継器地点を表示するのに用いられる。
【００１３】
図２は、無線通信機器群の一例を示している。センター１０と複数の親中継器１２ａ、１２ｂ・・・はネットワークで接続されており、各親中継器には、子中継器及び末端の通信機器である子機が接続されている。この例では、親中継器１２ａには、子中継器１３ａ、１３ｂ・・・が接続されるとともに子機１４11〜１４1nが接続されている。そして、子中継器１３ａには、子機１４21〜１４2nが接続され、子中継器１３ｂには、子機１４31〜１４3nが接続されている。
【００１４】
親中継器及び子中継器は、子機の機能も兼備しており、子機とともに各住宅に設置される。そして、親中継器、子中継器及び子機は、相互に無線通信が可能で、例えば、特小無線通信で相互通信を行う場合には通信可能距離は数百ｍ程度となり、親中継器及びそれに接続される子中継器及び子機からなるユニットでは、同一チャンネルの周波数で通信が行われる。隣接するユニットでは、異なるチャンネルの周波数を割り当てることで混信を防止することができる。各無線通信機器は、例えば、ガス、電気、水道等の使用量を測定するメータに接続されており、メータで測定した使用量データは、各無線通信機器により送信されて親中継器からネットワークを介してセンター１０に収集されるようになっている。
【００１５】
こうした通信システムにおいて、１つの親中継器に接続可能な子中継器及び子機の台数には上限があり、子中継器に接続可能な子機の台数にも上限がある。したがって、親中継器とそれに接続される子中継器及び子機を１つのユニットとして設置する場合、設置される住宅は予め決まっているので、そのユニットを決められた設置地点にいかに無駄なく設置地点に配備していくかがコスト面からみて重要になる。その場合、ユニットの親中継器及び子中継器の設置地点をどこに配置するかが大きなポイントとなる。
【００１６】
次に親中継器及び子中継器の設置地点を設定するための配置方法について説明する。図３から図５は、そのフローを示している。記憶部４から契約者の住所データを読み出して各設置地点Ｐkの地図上の位置情報を設定する（Ｓ１００）。位置情報の設定には、公知のＧＰＳプログラムを用いるとよい。次に、無線通信機器の通信可能距離Ｘを設定し（Ｓ１０１）、親中継器に接続される子中継器の最大接続台数Ｙを設定し（Ｓ１０２）、後述する接続地点数ＮPkの基準となる各中継器の子機接続台数Ｎ１、Ｎ２、・・・ＮY+1を設定する（Ｓ１０３）。子機接続台数Ｎ１は、親中継器の接続台数であり、接続台数Ｎ２、・・・ＮY+1は子中継器の接続台数である。こうした設定情報は、入力部６から入力すればよい。例えば、具体例として、図６では、最大接続台数Ｙ＝２とした場合の例を示しており、親中継器１台に対し子中継器２台が設定される。また、図７では、子機接続台数Ｎkの設定例を示している。この例では、図６に示す各中継器について、親中継器についてはＮ１＝１０台、子中継器（１）についてＮ２＝５台、子中継器（２）についてＮ３＝５台と設定している。
【００１７】
次に、通信可能距離Ｘに基づいて各設置地点Ｐkの接続可能地域Ｇkを設定する（Ｓ１０４）。接続可能地域Ｇkは、設置地点Ｐkを中心とし通信可能距離Ｘを半径とする円内である。そして、設置地点Ｐkの接続地点数Ｎｐkを算出する（Ｓ１０５）。接続地点数Ｎｐkは、接続可能地域Ｇk内に位置する設置地点Ｐkの数である。
算出された接続地点数Ｎｐkが子機接続台数Ｎ１以上の設置地点Ｐkを検索し（Ｓ１０６）、該当する設置地点Ｐkがない場合は終了する。該当する設置地点Ｐkが存在する場合は、その設置地点Ｐkを仮親中継地点ＰAとして記憶する（Ｓ１０７）。
【００１８】
図８には、仮親中継地点ＰAの接続可能領域ＧAを示している。上述したように、仮親中継地点ＰAから通信可能距離Ｘ＝３００ｍを半径とする円で画定される領域が接続可能領域ＧAとして規定される。そして、接続可能領域ＧA内の接続地点数Ｎｐは１１となり、子機接続台数Ｎ１である１０より大きいことから、設置地点は仮親中継地点ＰAとして選択される。
【００１９】
次に、基本中継地点ＰAの接続可能地域ＧA内の設置地点Ｐkで接続地点数Ｎｐkが子機接続台数Ｎ２以上の設置地点Ｐkを検索し（Ｓ１０８）、該当する設置地点Ｐkがない場合には仮親中継地点ＰAを親中継器の設置地点として設定して終了する。
ステップＳ１０８で該当する設置地点Ｐkがある場合には、接続地点数Ｎｐkが子機接続台数Ｎ２以上の設置地点Ｐkで仮親中継地点ＰAからの距離が最も大きい設置地点Ｐkを仮子中継地点ＰB1として記憶する（Ｓ１１０）。
【００２０】
図９には、仮子中継地点ＰB1の接続可能領域ＧB1を示している。仮子中継地点ＰB1の接続可能領域ＧB1内では、接続地点数Ｎｐが１２となり、そして、仮子中継地点ＰB1は、その接続地点数Ｎｐが子機接続台数Ｎ２＝５以上で仮親中継地点ＰAから最も遠い設置地点となっている。
【００２１】
そして、設定した仮子中継地点ＰBの数が最大接続台数Ｙに達したかチェックし（Ｓ１１１）、最大接続台数Ｙに達していない場合には、接続可能地域ＧA内の設置地点Ｐkで仮子中継地点ＰBmよりも仮親中継地点ＰAに近い設置地点Ｐkのうち接続地点数Ｎｐkが子機接続台数Ｎm+2以上の設置地点Ｐkを検索する（Ｓ１１２）。
そして、ステップＳ１１２で該当する設置地点Ｐkがある場合には、接続地点数ＮｐkがＮm+2以上の設置地点Ｐkで仮親中継地点ＰAからの距離が最も大きい設置地点Ｐkを仮子継地点ＰBm+1として記憶する（Ｓ１１３）。
【００２２】
図９の例では、仮子中継地点ＰB1が決められた後最大接続台数Ｙが２であるとすると、もうひとつ仮子中継地点Ｐを決める必要があるため、仮子中継地点ＰB1よりも仮親中継地点ＰAに近い設置地点Ｐで接続地点数Ｎｐが子機接続台数Ｎ３＝５以上の設置地点を検索する。そして、接続地点数Ｎｐが５以上の設置地点Ｐのうち仮親中継地点ＰAから最も遠い設置地点が仮子中継地点ＰB2に選択される。したがって、この場合は、仮親中継地点ＰAの接続可能領域ＧA内から仮子中継地点が選択される。
【００２３】
ステップＳ１１２で該当する設置地点Ｐkがない場合には、仮子中継地点ＰB1の接続可能地域ＧB1内の設置地点Ｐkで接続地点数Ｎｐkが子機接続台数Ｎm+2以上の設置地点Ｐkを検索する（Ｓ１１２）。そして、ステップＳ１１４で該当する設置地点Ｐkがある場合には、接続地点数Ｎkが子機接続台数Ｎm+2以上の設置地点Ｐkで仮子中継地点ＰB1からの距離が最も大きい設置地点Ｐkを仮子中継地点ＰBm+1として記憶する（Ｓ１１５）。
【００２４】
以上のステップでは、仮親中継地点ＰAの接続可能領域ＧAからすべての仮子中継地点を選択できないことから、これまで選択した仮子中継地点の接続可能領域から選択できなかった分の仮子中継地点を選択することが行われる。図１０に示す例では、仮親中継地点ＰAの接続可能領域ＧAからすべての仮子中継地点を選択できなったため、仮子中継地点ＰB1の接続可能領域ＧB1内から仮子中継地点ＰB2が選択されている。
【００２５】
ステップＳ１１３及びステップＳ１１５からステップＳ１１１に戻り、設定した仮子中継地点ＰBの数が最大接続台数Ｙに達したかチェックして、最大接続台数Ｙに達した場合には、ステップＳ１１６に進む。同様に、ステップＳ１１４で該当する設置地点Ｐkがない場合にもステップＳ１１６に進む。ステップＳ１１６では、記憶した仮親中継地点ＰA及び仮子中継地点ＰBの接続可能地域ＧA、ＧB1、ＧB2、・・・ＧBYがすべて重複する部分があるかチェックし、すべてが重複する部分がある場合には、記憶した仮親中継地点ＰA及び仮子中継地点ＰBの中で接続地点数Ｎｐの最も大きい中継地点を親中継器の設置地点に設定し、残りを子中継器の設置地点に設定する（Ｓ１１７）。すべてが重複する部分がない場合には、仮子中継地点ＰBが接続可能地域ＧAのみから選択されたかチェックし（Ｓ１１８）、接続可能地域ＧAからすべて選択された場合には、仮親中継地点ＰAを親中継器の設置地点に設定し、残りを子中継器の設置地点に設定する（Ｓ１１９）。ステップＳ１１８で仮子中継地点ＰBが接続可能地域ＧAからすべて選択されていない場合には、仮親中継地点ＰAから最も遠い位置にある仮子中継地点ＰB1を親中継器の設置地点に設定し、残りを子中継器の設置地点に設定する（Ｓ１２０）。以上のように親中継器及び子中継器の設置地点を設定して終了する。
【００２６】
図１０の例では、仮親中継地点ＰAの接続地点数が１１、仮子中継地点ＰB1の接続地点数が１２、仮子中継地点ＰB2の接続地点数が８となり、それぞれの接続可能領域がすべて重複している部分が存在していることから、接続地点数が最も大きい仮子中継地点ＰB1が親中継器の設置地点となり、残りが子中継器の設置地点となる。
【００２７】
以上のように、親中継器及び子中継器を設定してそれらに接続する子機を決めて１つのユニットの配置が完成する。１つのユニットが完成した後それに含まれる親中継器、子中継器及び子機の設置地点を除いた設置地点に基づいて同様の処理を行い、次のユニットの配置を決めていく。こうして、無線通信機器群を配置する地域の最適位置に親中継器及び子中継器を配置することができる。
【図面の簡単な説明】
【００２８】
【図１】本発明に係る配置方法を実施するための情報処理装置に関するブロック図である。
【図２】無線通信機器群のツリー図である。
【図３】配置処理に関するフローである。
【図４】配置処理に関するフローである。
【図５】配置処理に関するフローである。
【図６】最大接続台数の設定例に関する説明図である。
【図７】子機接続台数の設定例に関する説明図である。
【図８】仮親中継地点の設定例に関する説明図である。
【図９】仮子中継地点の設定例に関する説明図である。
【図１０】親中継器及び子中継器の設定例に関する説明図である。
【符号の説明】
【００２９】
１・・・制御部、２・・・記憶部、３・・・記憶部、４・・・記憶部、５・・・プリンタ、６・・・入力部、７・・・表示部。
【図１】
2006094181.tif 000003
【図２】
2006094181.tif 000004
【図３】
2006094181.tif 000005
【図４】
2006094181.tif 000006
【図５】
2006094181.tif 000007
【図６】
2006094181.tif 000008
【図７】
2006094181.tif 000009
【図８】
2006094181.tif 000010
【図９】
2006094181.tif 000011
【図１０】
2006094181.tif 000012